(57)【要約】【課題】ライフスタイルや使用目的等の変化に対応し、居住空間を狭く感じさせることなく収納空間を確保できるフロア装置を提供する。【解決手段】床面２の一部に形成された凹所を段差フロア３としたフロア装置１であって、前記段差フロアには、上面が床面として使用されるよう構成され収納部４０を有した収納箱体４が設置されることを特徴とする。【選択図】図１
2011226217.tif 000002
【特許請求の範囲】
【請求項１】
床面の一部に形成された凹所を段差フロアとしたフロア装置であって、
前記段差フロアには、上面が前記床面として使用されるよう構成され収納部を有した収納箱体が設置されることを特徴とするフロア装置。
【請求項２】
請求項１において、
前記段差フロア上に設置された前記収納箱体の前記上面と前記床面とは略面一となるよう構成されることを特徴とするフロア装置。
【請求項３】
請求項１または請求項２において、
前記収納箱体内には、前記収納部の仕切り部材となる枠材が組み込まれていることを特徴とするフロア装置。
【請求項４】
請求項１〜請求項３のいずれか１項において、
前記段差フロアの床表面材が、着脱自在に構成され、該床表面材は前記収納箱体の蓋体とされることを特徴とするフロア装置。
【請求項５】
請求項１〜請求項４のいずれか１項において、
前記段差フロアには、複数個の前記収納箱体がその設置場所を自在に変更して設置されることを特徴とするフロア装置。
【発明の詳細な説明】
【技術分野】
【０００１】
本発明は、床面の一部に形成された凹所を段差フロアとしたフロア装置に関する。
【背景技術】
【０００２】
従来より、居住空間を狭めることなく収納空間を確保するため、収納部を備えたユニット家具の上面を床材とした床下収納家具が知られている。
例えば下記特許文献１には、上述のような家具が開示されている。
ここには、隣接するユニット家具の側面板同士を連結する連結部を有するとともに、連結部で連結されたユニット家具の上面板の表面が互いに面一となって居住空間における床面をなすことが記載されている。
【先行技術文献】
【特許文献】
【０００３】
【特許文献１】特開２００１−３５３０３５号公報
【発明の概要】
【発明が解決しようとする課題】
【０００４】
しかしながら上記特許文献１に記載のような床下収納装置の場合、ユニット家具の高さを低位置に設定しても、収納量を増やすために床下収納家具の設置空間を増やすと、居住空間のうち通常の床面よりも高い場所が増え、天井と床面の間が狭い空間が増えてしまう。すると、居住空間が狭く感じられ圧迫感を感じることになる。
そこでその居住空間に暮らす人の年齢や家族構成、使用目的等の変化に対応し、収納空間を増やしながらも居住空間が狭くなったと感じさせないフロア装置が求められている。
【０００５】
本発明は、上記実情に鑑みてなされたものであり、ライフスタイルや使用目的等の変化に対応し、居住空間を狭く感じさせることなく収納空間を確保できるフロア装置を提供することを目的としている
【課題を解決するための手段】
【０００６】
上記目的を達成するために、本発明に係るフロア装置は、床面の一部に形成された凹所を段差フロアとしたフロア装置であって、前記段差フロアには、上面が前記床面として使用されるよう構成され収納部を有した収納箱体が設置されることを特徴とする。
【０００７】
また本発明において、前記段差フロア上に設置された前記収納箱体の前記上面と前記床面とは略面一となるよう構成されるものとしてもよい。
さらに本発明において、前記収納箱体内には、前記収納部の仕切り部材となる枠材が組み込まれているものとしてもよい。
そして本発明において、前記段差フロアの床表面材が、着脱自在に構成され、該床表面材は前記収納箱体の蓋体とされるものとしてもよい。
そしてまた本発明において、前記段差フロアには、複数個の前記収納箱体がその設置場所を自在に変更して設置されるものとしてもよい。
【発明の効果】
【０００８】
本発明に係るフロア装置によれば、ライフスタイルや使用目的等の変化に対応し、居住空間を狭く感じさせることなく収納空間を確保できる。
【図面の簡単な説明】
【０００９】
【図１】（ａ）は本実施形態に係るフロア装置の一例を説明するための概略斜視図であり、（ｂ）は同フロア装置の異なる例を説明するための図であり、収納箱をひとつ設置する場合を示す概略斜視図である。
【図２】（ａ）及び（ｂ）は同フロア装置のさらに異なる例を説明するための図であり、収納箱を複数設置する場合を示す概略斜視図である。
【図３】（ａ）及び（ｂ）は同フロア装置のさらに異なる例を説明するための図であり、枠材で複数に区画された収納部を備えた収納箱体を設置する場合を示す概略斜視図である。
【図４】（ａ）及び（ｂ）は同フロア装置のさらに異なる例を説明するための図であり、図３（ａ）及び（ｂ）に示す例をさらに説明するための概略斜視図である。
【発明を実施するための形態】
【００１０】
以下に本発明の実施の形態について、図面に基づいて説明する。
本実施形態に係るフロア装置１は、床面２の一部に形成された凹所を段差フロア３としたフロア装置１であって、段差フロア３には、上面が床面として使用されるよう構成され収納部４０を有した収納箱体４が設置される。
図例では、一般住戸のリビングに適用されたフロア装置１を示しているが、これに限定されず、寝室や子供部屋、書斎など各種部屋に適用することができる。また一般住戸に限らず公共施設等の多目的フロアのフロア装置１とすることもできる。
図中、６はテレビ６０を設置可能としたキャビネットであり、６１は小物などを収納できる収納棚である。
【００１１】
図１（ａ）は収納箱体４が設置されていないフロア装置１を示している。
図例では段差フロア３となる凹所が平面視して略方形状に凹設された例をしているが、これに限定されず、平面視して縦長の方形状でもよいし、楕円形状など円形状、三角形状等の多角形状としてもよい。
段差フロア３の表面には床表面材が敷設されている。
この床表面材は着脱自在に構成されるものとしてもよく、また床表面材は、段差フロア３の一面に一枚の床表面材が設けられるものとしてもよいし、将来設置される収納箱体４の大きさに合わせて複数枚に分割されたものとしてもよい。
【００１２】
図１（ａ）に示す状態においては、段差フロア３全面を床面２の一部として使用可能に構成され、床面２と段差フロア３との段差部分を腰掛けとして使用することもできる。
また段差フロア３は床面２よりも掘り込まれた空間に形成されているので、例えば自立歩行不能な乳児（赤ちゃん）等がいる家庭の場合は、段差フロア３を乳児等が過ごす空間として使用するようにしてもよい。
これによれば、別途ベビーサークル等を設けなくても、段差フロア３内に乳児等を隔離することができる。
また段差フロア３の床面には、将来的に収納箱体４が設置されることが想定され、床面にビス穴が空いても収納箱体４を設置して隠すことができるので、段差フロア３の床面に子供用ジャングルジム等の遊具をビス止め等して固定して取付穴を形成してもよい。
【００１３】
次に図１（ｂ）に示すように段差フロア３には、収納箱体４を設置することができる。
収納箱体４は、天板と、側板と、底板とを備えた直方体形状の箱体からなり、図例のものは、上面を開口とし、天板が蓋体５として取り外し自在に構成され、収納箱体４の中は中空の収納部４０となっている。
段差フロア３の床表面材が着脱自在に構成されている場合は、その床表面材を収納箱体４の蓋体５としてもよい。
この場合は、収納箱体４の大きさに合わせて床表面材を複数枚に分割し、収納箱体４を設置する際に床表面材を取り外してそれを蓋体５とすればよく、これによれば、収納箱体４の蓋体５の保管場所を別途設ける必要がない。
ここで取り外して蓋体５とされる床表面材は、収納箱体４の天板として収納箱体４の上を人等が歩いたり座ったりしても耐えられる強度を備えたものとすることはいうまでもない。
【００１４】
蓋体５の上面は床面となるため、床面２と同じ床表面材が設けられたものとしてもよい。例えば床面２がフローリングの場合は、蓋体５の上面も同じフローリングとしてもよい。
この場合は、収納箱体４と床面２とが統一感のあるものとすることができる。
またこれに限定されず、住人のライフスタイルや好みに合わせて畳としてもよい。
【００１５】
収納箱体４の構成は図例に限定されるものではない。
例えば上面を板体で閉塞し側板の一部を開口とし、そこに引き出しを抜き差し自在に構成した引出しタイプのものとしてもよい。また側板の一面を開口としたオープンラックタイプとしてもよい。さらに収納箱体４は段差フロア３に直接設置されるので、底板がない側板のみで構成された枠体からなるものしてもよい。
また収納箱体４の大きさ、形状も図例に限定されるものではない。例えばスキー板や掛け軸等長尺なものや家電製品等を収納できるように収納箱体４を縦長の直方体形状としてもよい。
さらに収納箱体４の収納部４０内に仕切り板を設けてもよい。
これによれば、収納部４０に収納するものを整理して収納でき、また仕切り板が補強材となって収納箱体４の上に人等が歩いたり座ったりしても耐えられる強度を確保することができる。
【００１６】
収納箱体４の設置場所は、段差フロア３内のどこでもよく、例えば角部や端部であってもよいし、中央に設置して、テーブルとして使用するようにしてもよい。
また収納箱体４が容易に移動しないようにビス、釘、ボルト等で固定してもよい。
このとき、収納箱体４を床表面材に直接ビス固定するようにしてもよいし、床表面材の下の下地材に予め取付穴を複数形成しておき、床表面材を取り外して収納箱体４を固定できるようにしてもよい。
【００１７】
収納箱体４の高さは、段差フロア３上に設置されたときに収納箱体４の上面、すなわち蓋体５と段差フロア３周辺の床面２とが略面一となるようにしてもよいし、収納箱体４の高さを段差フロア３周辺の床面２より高くまたは低くなるようにしてもよい。
収納箱体４の蓋体５と床面２とを略面一とした場合は、蓋体５と床面２とがフラットに構成されるので、床面２と連なった段差のない同じ床面として使用できる面積を広げることができる。
床面２より収納箱体４が高くなるようにした場合は、収納部４の容量を増やすことができる。また例えば収納箱体４の高さを大人が腰をかけるのに程よい高さとすれば、収納箱体４をベンチがわりに使用することもできる。
床面２より蓋体５の位置が低くなるように収納箱体４を構成した場合は、収納箱体４を段差状ステップとして、段差フロア３と床面２との行き来をし易くすることができる。
【００１８】
以上によれば、床面２の一部に形成された凹所を収納スペースとして活用でき、段差フロア３の収納箱体４が設置されていない場所は段差フロア３を床面２の一部として使用することができる。従って、収納物が増えてきたときには収納箱体４を設置すれば段差フロア３を収納空間として使用することができ、ライフスタイルや使用目的等の変化に対応することができる。
【００１９】
次に図２（ａ）及び（ｂ）には上述とは異なる例として、収納箱体４を複数設置する例を示している。上述の例と共通する部分には共通の符号を付し、その説明は省略する。
この例において設置される収納箱体４は図１（ｂ）に示したものと同じであり、このように収納箱体４を段差フロア３に複数設置してもよく、また段差フロア３には、複数個の収納箱体４がその設置場所を自在に変更して設置することもできる。
収納箱体４の配列の仕方は、特に限定されるものではなく、例えば図２（ｂ）に示すように段差フロア３の端に一列に配列させてもよい。
この場合は、収納箱体４が設置されていない段差フロア３の空間にテーブル７等を設置してもよい。
また図示していないが、段差フロア３の中央部分以外の周囲に収納箱体４を設置すれば掘りごたつ用フロアとすることができる。
【００２０】
図２（ａ）及び（ｂ）に示すような比較的小さく動かしやすい大きさの収納箱体４を複数個設置できるものとすれば、収納物の増加にあわせて収納箱体４の設置個数を増やしていくことができる。
また収納箱体４は床面２の一部に形成された凹所（段差フロア３）に設置されるので、設置個数が増えても、天井と床面２の間が狭い空間が増えてしまうことがなく、居住空間が狭くなったと感じることを防ぐことができる。
従って、この例においても住む人、使う人のライフスタイルや使用目的等の変化に対応し、居住空間を狭く感じさせることなく収納空間を確保できる。
【００２１】
次に図３（ａ）〜図４（ｂ）には上述とはさらに異なる例として、枠材４１で複数に区画された収納部４０を備えた収納箱体４を設置する例を示している。
上述の例と共通する部分には共通の符号を付し、その説明は省略する。
ここでは段差フロア３の床表面材が、着脱自在に構成され、この床表面材が収納箱体４の蓋体５とされる例について説明する。
収納箱体４は段差フロア３の全領域に埋設されるように段差フロア３の大きさ、形状にあわせて形成されている。収納箱体４内には、収納部４０の仕切り部材となる枠材４１が組み込まれている。
これによれば、図例のように大型の収納箱体４としても収納部４０が枠材４１によって仕切られているので、収納物を整理して収納できる。
図では、枠材４１を等間隔に升目状に設けた例を示しているが、これに限定されるものではない。このように枠材４１を等間隔な升目状とした場合は、収納箱体４にかかる荷重に耐えられる強度を備えた収納箱体４とすることができる。
【００２２】
続いて収納箱体４の設置手順の一例について、その概略を説明する。
図３（ａ）に示すように段差フロア３の表面には着脱自在に構成された床表面材が敷設されている。
この床表面材を蓋体５とするため、取り外し、そこに収納箱体４を組み込む（図３（ｂ）参照）。そして床表面材として使用されていたものを蓋体５として収納箱体４の上面に置けば設置完了とすることができる（図４（ａ）〜（ｂ）参照）。
【００２３】
この例においても、収納箱体４は床面２の一部に形成された凹所（段差フロア３）に設置されるので、収納箱体４が大型化しても、天井と床面２の間が狭い空間が増えてしまうことがなく、収納箱体４を設置することによって居住空間が狭くなったと感じることを防ぐことができる。また段差フロア３に敷設されていた床表面材を蓋体５として利用するので、収納箱体４の蓋体５の保管場所を別途設ける必要がない。
なお、ここに示す収納箱体４においても、段差フロア３に直接設置されるので、底板がない枠体状のものとしてもよい。また蓋体５は図例のように一枚ものに限定されず、分割して構成し、取り扱いし易いものとしてもよいことはいうまでもない。
【００２４】
以上、本実施形態に係るフロア装置１の形状、構成は図例に限定されず、また床面２における段差フロア３の形成位置等、床面２に設置されるキャビネット６も図例に限定されるものではない。さらに段差フロア３の表面に敷設されるものも上述の例に限定されず、じゅうたん敷き、タイル敷きとしてもよい。
【符号の説明】
【００２５】
１      フロア装置
２      床面
３      段差フロア
４      収納箱体
４０    収納部
４１    枠材
５      蓋体
【図１】
2011226217.tif 000003
【図２】
2011226217.tif 000004
【図３】
2011226217.tif 000005
【図４】
2011226217.tif 000006